(57)【要約】この発明は、キーの個々の標識を表示するための柔軟性表示部によって被覆されたキースイッチがある複数のキーを備えたキーボードであって、それによって、キーボードの適切な制御により、キーボードの操作の際に上記標識を変更することのできるキーボードに関するものである。柔軟性表示部は、キースイッチの上面に適合させるために非平面形状に予備成形されており、それによって、柔軟性表示部の区域を押し下げることでそれぞれのキースイッチが作動されてそのキースイッチのキー標識が表示される。それぞれのキーは、透明な上面が備わったキーキャップを有し、柔軟性表示部は、それぞれのキーキャップの透明な上面を通して見ることのできるキーの個々の標識を表示するために、キーキャップの下に取り付けられている。このキーボードによれば、従来型の高品質キーボードと同様の触知性フィードバックがもたらされる。
2010511239.tif 000002
【特許請求の範囲】
【請求項１】
キーの個々の標識を表示するための柔軟性表示部によって被覆されたキースイッチがある複数のキーを備えたキーボードであって、前記キースイッチの上面に適合させるために前記柔軟性表示部が非平面形状に予備成形されており、それによって、前記柔軟性表示部の区域を押し下げることでそれぞれのキースイッチが作動されてそのキースイッチのキー標識が表示されるキーボード。
【請求項２】
前記複数のキーのそれぞれは、透明な上面が備わったキーキャップを有し、前記柔軟性表示部は、それぞれのキーキャップの透明な上面を通して見ることのできるキーの個々の標識を表示するために、前記キーキャップの下に取り付けられている請求項１に記載のキーボード。
【請求項３】
前記複数のキーのそれぞれのキースイッチは、接点素子のある実質的に非柔軟性の部材を有し、この非柔軟性の部材は、前記接点素子とキーボードの電気回路との間の接触が起きるまで対応するキーが押し下げられたときに変位されるように、構成されている請求項１または２に記載のキーボード。
【請求項４】
前記表示部は、ＯＬＥＤ表示部である請求項１〜３のいずれか１つに記載のキーボード。
【請求項５】
前記表示部は、電気泳動式表示部である請求項１〜３のいずれか１つに記載のキーボード。
【請求項６】
前記表示部は、電気湿潤式表示部である請求項１〜３のいずれか１つに記載のキーボード。
【請求項７】
前記表示部は、ポリマーＬＥＤ表示部である請求項１〜３のいずれか１つに記載のキーボード。
【請求項８】
請求項１〜７のいずれか１つに記載のキーボードを備えてなるコンピュータ。
【請求項９】
請求項１〜７のいずれか１つに記載のキーボードを備えてなる携帯電話。
【請求項１０】
請求項１〜７のいずれか１つに記載のキーボードを備えてなるＤＤＡ。
【請求項１１】
請求項１〜７のいずれか１つに記載のキーボードを備えてなる楽器。
【請求項１２】
請求項１〜７のいずれか１つに記載のキーボードを備えてなるピアノ。
【請求項１３】
請求項１〜７のいずれか１つに記載のキーボードを備えてなる計算機。
【請求項１４】
請求項１〜７のいずれか１つに記載のキーボードを備えてなる遠隔制御ユニット。
【請求項１５】
請求項１〜７のいずれか１つに記載のキーボードを備えてなるファックス装置。
【請求項１６】
請求項１〜７のいずれか１つに記載のキーボードを備えてなるプリンター。
【請求項１７】
請求項１〜７のいずれか１つに記載のキーボードを備えてなる電子楽器。
【請求項１８】
請求項１〜７のいずれか１つに記載のキーボードを備えてなる科学装置。
【請求項１９】
請求項１〜７のいずれか１つに記載のキーボードを備えてなる陸上輸送手段、水上輸送手段、あるいは空中輸送手段。
【請求項２０】
請求項１〜６のいずれか１つに記載のキーボードへ接続されているとともに、このキーボードからの入力を受けるように、かつ、ユーザーの入力に応じてキー標識を表示するための前記表示部を制御するように適合されているプロセッサーを備えてなる装置。
【請求項２１】
前記プロセッサーは、編集プログラムを実行するように、かつ、ユーザーが前記キーボードのレイアウトを画定することができるように、適合されている請求項２０に記載の装置。
【発明の詳細な説明】
【技術分野】
【０００１】
この発明は、例えば、コンピュータ、電子ゲーム、楽器、現金自動支払機、販売端末機、あるいは他の端末機などに使用するためのキーボードであって、例えば、キーボードのそれぞれのキーの現在の機能を表わす記号あるいはアイコンを標識に表示するために、キーボードの操作の際に変更することのできる標識をキーの表面に有しているキーボードに関するものである。
【背景技術】
【０００２】
今日のパーソナルコンピュータに関するほとんどすべては、意味のある継続的な開発に付される。プロセッサーの電源、平坦なスクリーン、およびワイヤレスインターフェイスの継続している開発は、この開発の明らかな例である。しかしながら、コンピュータキーボードは、例外を構成するように思われる。キーボードのデザインは、１つの言語から別の言語への２〜３の違いと適正なレイアウトで配置された２〜３の機能キーとが導入されてきたものの、タイプライターの発明以来、大きくは変更されないままであった。
【０００３】
典型的には、コンピュータなどのためのキーボードには、英語による書記言語のキャラクターで表示されたキーがある。標識は、次のように表示されたキーボードのレイアウトによって、所定の配列で印刷されあるいは型成形されている。いくつかのヨーロッパの国々では、英語よりも広い範囲のキャラクターおよび母音字があるため、いくつかの国々におけるキーボードには、キー位置の異なったいくつかのキーがある。
【発明の概要】
【発明が解決しようとする課題】
【０００４】
この発明の１つの目的は、改善された汎用性のあるキーボードを提供することである。
【課題を解決するための手段】
【０００５】
この発明によれば、上記の目的および他の諸目的は、キーの個々の標識を表示するための柔軟性表示部によって被覆されたキースイッチがある複数のキーを備えたキーボードであって、上記キースイッチの上面に適合させるために上記柔軟性表示部が非平面形状に予備成形されており、それによって、上記柔軟性表示部の区域を押し下げることでそれぞれのキースイッチが作動されてそのキースイッチのキー標識が表示されるキーボードにより、達成される。
【０００６】
従って、このキーボードには、キーの個々の標識を表示するための柔軟性表示部によって構成された上方部がある。
【０００７】
この発明の１つの実施形態では、上記柔軟性表示部によって表示された標識のあるそれぞれのキーに、透明な上面の備わったキーキャップがあり、また、上記柔軟性表示部は、それぞれのキーキャップの透明な上面を通して見ることのできるキーの個々の標識を表示するために、上記キーキャップの下に取り付けられている。
【０００８】
好ましいのは、それぞれのキーに、個別に押し下げることのできるキーが備わった従来型のキーボードと同様に、キーが押し下げられたときにその形状を変えることがないかあるいは実質的に変えることがない平坦な上面のような上面が備わっていることである。
【０００９】
好ましいのは、このキーボードのそれぞれのキーがキーボードのユーザーによって押されたときに、キーボードのそれぞれのキーが変位すること、すなわち、ユーザーによって作動されたときにキーが押し下げられることである。
【００１０】
好ましいのは、複数のキーのそれぞれのキースイッチに、接点素子のある実質的に非柔軟性の部材が備わっていることと、上記接点素子とキーボードの電気回路との間の接触が起きるまで対応するキーが押し下げられたときに、この非柔軟性部材が変位されるように構成されていることである。この非柔軟性部材は、その押し下げ位置から離れたばね手段で偏倚することができる。このばね手段は、コイルばね、板ばね、重ね板ばねなどであってよい。
【００１１】
このキーボードがユーザーによって従来型のキーボードと同じように操作されることはこの発明の利点である。例えば、従来型の特定のキーボードを使用する際にユーザーが受ける特定の種類の触知性フィードバックは、この発明によるキーボードによってもまた、もたらされる。触知性フィードバックは、キーボードのキーを押し下げるときにどのように感じるか、例えば、ユーザーによって押し下げられたときにキーによって「クリック」が起きるかどうかということと、その「クリック」をどのように感じるか、また、その「クリック」の音がどのようなものであるかということとに関係がある。触知性フィードバックはまた、ユーザーによって押し下げられたときのキーの直線状変位の大きさなどにも関係がある。
【００１２】
このキースイッチはドームスイッチでもメンブランスイッチでもないのが好ましい。
【００１３】
さらに、従来型のキーボードによってもたらされたさまざまなキーレイアウトは、この発明によるキーボードによってもまたもたらされ、例えば、ユーザーは、このキーボードのそれぞれの特定キーを同時にかつ／または特定の順序で作動させることにより、特定のキーボードレイアウトを選択することができる。
【００１４】
この発明によれば、このキーボードには、キーの上面にキーボード標識を表示し、それによって、従来型のように決まったキー標識をキーボードの適切な調整によりキーボードの操作の際に変更することのできる標識に置き換えるための表示部が設けられている。
【００１５】
好ましいのは、この表示部に、従来型の液晶ディスプレイ、発光ダイオードディスプレイ、あるいはプラズマディスプレイで知られた従来型の表示特性が備わっていることであり、例えばテレビやコンピュータの平坦な画面に使用されると、このキーボードにおけるそれぞれのキーの上面にほとんどどのようなものでも表示することができるようになることと、そのキー標識に現在、表示されているものがどのようなものであれ、それをこのキーボードの操作の際に他の何かに変更することができるようになることである。
【００１６】
好ましいのは、キーに表示された標識がそのキーの現在の機能を表示していることである。例えば、このキーボードがタイプライターのキーボードとして使用されるときに、この柔軟性表示部が、その国における文書に使用される小文字、数字および他のキャラクターの従来型のレイアウトを表示できることである。「Ｓｈｉｆｔ」キーが押し下げられると、表示部はその標識を大文字、数字などに変更し、また、「ＡｌｔＧｒ」キーが押し下げられると、表示部はそれに応じてその標識を変更する。従って、ユーザーは、特定の図形記号をタイプするためにどのキーを押し下げるかを記憶していることという課題から解放される。同じように、このキーボードが、さまざまな機能キーを利用するワードプロセッサーの備わったコンピュータとともに使用されるときには、このキーボードは、それぞれのキーの作動時にそのワードプロセッサーによって実行される機能キーのそれぞれの機能を表示するための記号を表示することができる。これらの機能は、そのワードプロセッサーの操作の際に変更することができる。好ましいのは、このワードプロセッサーによって、ユーザーがキーボードの適切なレイアウトを選択することができることであり、例えば、さまざまな国々のさまざまなレイアウトを選択することができ、また、ドボラク式レイアウトを選択することができることである。好ましいのは、このワードプロセッサーによって、ユーザーがキーボードにおけるそれぞれのキーの機能を特定し、それによって、個々のキーボードレイアウトを作成することができることである。
【００１７】
キーボードのレイアウトが１つの字母から別の字母へ、かつ／または、１つの国のレイアウトから別の国のレイアウトへ簡単に変更されるということは、この発明によるキーボードの重要な利点である。例えば、この発明によるキーボードは、ヨーロッパ言語、日本語、アラビア語、ロシア語、中国語などの字母を表示することができる。
【００１８】
好ましいのは、このキーボードに、キーボードのすべてのキーの標識を表示するための単一の表示部が備わっていることである。しかしながら、その表示部は複数の別個の表示ユニットに分けられるものであってもよい。
【００１９】
このキーボードのいくつかのキーは、決まった標識の備わった従来型のキーであってもよい。
【００２０】
好ましいのは、この表示部が、キーボードの操作の際にユーザーによって押し下げられる複数のキー接点の上にぴったり合うように成形された柔軟性基板の上に存在していることである。
【００２１】
柔軟性基板の上に存在することのできるいくつかの表示技術は現在、利用することができる。例えば、有機発光ダイオード（ＯＬＥＤ）の表示部は、きわめて柔軟な金属箔、柔軟性ポリマー箔などのような柔軟性基板の上に存在することができる。ＯＬＥＤは、印刷の際にインクが紙の上に吹き付けられるのと同じようにして、柔軟性基板の上に印刷することができる。ＯＬＥＤは、インクジェットプリンター技術を利用して、任意の適切な基板の上に印刷することができるので、それらは理論的に、ＬＣＤディスプレイあるいはプラズマディスプレイよりもかなり低いコストですむ。
【００２２】
有機発光ダイオード（ＯＬＥＤ）は、その電子放射性層にある有機化合物からなる薄膜が備わっている特殊な型の発光ダイオードである。当初は、小分子有機発光ダイオード（ＳＭＯＬＥＤ）、すなわち、電子的に励起されると光を放射する小さい有機分子が使用されていた。しかしながら、今日のＯＬＥＤは典型的には、時としてＰＬＥＤ（ポリマー発光ダイオード）と呼ばれる光放射のための大きいポリマー分子を利用している。ＰＬＥＤは、溶解処理可能であるという主要な利点を有しており、それゆえ、インクジェット印刷のような技術を使用して基板へ取り付けることができる。デンドリマー技術をＯＬＥＤに適用することもできる。デンドリマーは、高度の枝分かれを特徴とするある種の分子であり、また、特定の性能特性をもたらすように作ることができる。具体的には、表示技術において、デンドリマーは、小さい分子にポリマー系のいくつかの性質、例えば溶解処理可能性を付与するために、それらの分子へ適用することができる。
【００２３】
受動マトリックスＯＬＥＤ（ＰＭＯＬＥＤ）では、カソードおよびアノードが、互いに垂直に細長片状に配置されている。カソードとアノードとの交差部には、光が放射される画素が構成されている。外部回路網によって、アノードおよびカソードの選択された細長片へ電流が流されて、どの画素が引き付けられ、かつ、どの画素が後に残るかが決定される。また、それぞれの画素の輝度は、流された電流の量に比例している。現在、ＰＭＯＬＥＤは、文字およびアイコンのために最も効率的なものであり、また、携帯電話、ＰＤＡおよびＭＰ３プレーヤーのような小さい画面（２〜３インチの画面）のために最も適している。
【００２４】
能動マトリックスＯＬＥＤ（ＡＭＯＬＥＤ）では、カソードおよびアノードが完全な層を構成しているが、アノード層は、マトリックスを形成する薄膜トランジスタ（ＴＦＴ）アレイに重なっている。このＴＦＴは、ある画像を形成するためにどの画素が引き付けられるかを決定する回路網である。ＡＭＯＬＥＤは、ＴＦＴアレイが外部回路網よりも電力が少なくてすむので、ＰＭＯＬＥＤよりも電力の消費が少なく、従って、それらは大きいディスプレイのために効率がよい。ＡＭＯＬＥＤにはまた、ビデオのために適しているより速いリフレッシュ速度がある。典型的には、ＡＭＯＬＥＤは、コンピュータのモニター、大画面テレビ、および電子標識あるいは屋外広告板に使用されている。
【００２５】
伝統的なＬＥＤディスプレイにまさるＯＬＥＤディスプレイの大きい利点の１つは、ＯＬＥＤには、機能を果たすためのバックライトが必要でないということである。これは、それらがごく少ない電力だけを引き出すことと、電池から電源供給されたときに、同じ電荷でいっそう長く作動することができることを意味している。ＯＬＥＤに基づく表示装置は液晶ディスプレイおよびプラズマディスプレイよりも効率的に製造することができる、ということもまた知られている。
【００２６】
ＯＬＥＤ技術は現在、携帯電話および携帯型ディジタル式音楽プレーヤー（ＭＰ３プレーヤー）、カーラジオおよびディジタルカメラのための小さい画面、さらには、ヘッドマウント型ディスプレイのための高解像度マイクロディスプレイのような商業的用途に使用されている。
【００２７】
このような携帯用途は、それらの低い電力消費と組み合わされた、日光の中での可読性のためのＯＬＥＤの高い光出力特性を裏付けるものである。
【００２８】
電気泳動式表示部、電気湿潤式表示部、ポリマーＬＥＤ表示部などは、柔軟性基板の上にも存在することのできる表示部技術の他の例である。
【００２９】
この表示部は、それぞれの透明キーキャップの下方に、従来型のドットマトリックス構成をもたらすことができる。
【００３０】
この発明によれば、このキーボードは、すべての書記言語のすべてのキャラクター、数字および他の記号を表示することができる。
【００３１】
また、このキーボードは、ゲームおよび他のソフトウェアプログラムとともに使用される機能キーの機能の指示を表示することもできる。例えば、このキーボードは、あるソフトウェアプログラムを通してユーザーを案内し、それによって、そのプログラムのためのマニュアルを照会する必要性を省くようにして、あるキー標識を連続的に表示することができる。
【００３２】
さらに、このキーボードは、ワードプロセッサー、表計算ソフト、データベース、ＣＡＤ／ＣＡＭなどのしばしば使用される機能に対応しているキー標識を表示し、それによって、ワードプロセッサー、表計算ソフト、データベース、ＣＡＤ／ＣＡＭの使用をそれぞれ簡単にすることができる。
【００３３】
さらにまた、この発明によるキーボードの標識表示の融通性は、例えば携帯電話、ＰＤＡコンピュータ、あるいは他の形態型機器のためのキーボードにおけるキーの数を減らすために使用することができる。
【００３４】
この発明によるキーボードは、例えば自動車、列車、航空機、船舶、宇宙船などのあらゆる移動手段において、例えばその移動手段の制御のために、都合よく利用することができる。
【図面の簡単な説明】
【００３５】
以下、この発明は、図面に示された代表的な実施形態を参照しながら、いっそう詳しく説明される。
【図１】図１は、この発明によるキーボードの分解斜視図を模式的に示している。
【図２】図２は、図１に示されたキーボードの細部を示している。
【図３】図３は、図１に示されたキーボードのさまざまな使用を示している。
【図４】図４は、図１に示されたキーボードのさらに別の使用を示している。
【図５】図５は、図１に示されたキーボードのもっとさらに別の使用を示している。
【発明を実施するための形態】
【００３６】
さて、この発明は、この発明の代表的な実施形態が示されている添付図面を参照しながら、以下でいっそう充分に説明される。しかしながら、この発明は、異なる形態に具体化することができ、また、この明細書に記載された実施形態に限定されるように解釈すべきではない。もっと適切に言えば、これらの実施形態は、この開示が一貫した、かつ、完全なものであるように、また、この発明の適用範囲を当業者へ充分に伝えるように、設けられている。この明細書を通じて、類似した参照符号は類似した要素を意味している。
【００３７】
図１には、この発明によるキーボード１０の基本的構成要素の分解斜視図が示されている。図示されたキーボード１０には、プリント回路基板１２が備わっており、プリント回路基板１２には、従来型のコンピュータキーボード配列で配置されたキースイッチ１４が５列、備わっている。当業界で周知のように、これらのキースイッチ１４を走査して、押し下げられたキースイッチ１４を検出するために、信号伝送線１６が使用されている。これらのキーの上部を構成している柔軟性表示部１８が、キースイッチ１４の上面とキーキャップ２０の下面とにぴったり合うように、予備成形されている。キーキャップ２０の上面２２は透明であるので、ユーザーは、表示されたキー標識を、それぞれの透明なキーキャップ２０を通して見ることができる。表示部１８を制御するために信号伝送線２４が使用されている。
【００３８】
図２には、１つのキースイッチ１４とキーの標識における電話記号を表示している表示部１８とがいっそう詳しく示されており、この標識はキーキャップ２０の透明な上面２２を通して見ることができる。
【００３９】
図示されたこの実施形態では、それぞれのキーには平坦な上面があり、この上面は、個別に押し下げることのできるキーが備わった従来型のキーボードと同様に、キーが押し下げられたときにその平坦な形状が変わらない。
【００４０】
図示されたこの実施形態におけるそれぞれのキースイッチ１４には、接点素子（図示略）のある実質的に非柔軟性の部材２６が備わっている。この非柔軟性部材２６は、対応するキーが上記接点素子とキーボードの電気回路との間の接触が起きるまで押し下げられたときに表示されるように構成されている。接触はキーボードの制御回路によって検出される。図示されたこの実施形態の非柔軟性部材２６は、従来型のキーボードにおいて周知である仕方で、コイルばねによって偏倚されている。
【００４１】
キーの直線状変位は、２ｍｍ〜５ｍｍ、例えば約３．５    ｍｍのように、１ｍｍ〜５ｍｍの範囲にあるのが好ましい。
【００４２】
このように、使用の際にこのキーボードによってもたらされる触知性フィードバックは、例えばコンピュータに関する従来型の高品質キーボードの使用からユーザーに周知である触知性フィードバックに対応している。従来型の高品質キーボードには、ドームスイッチあるいはメンブランスイッチは含まれていない。代わりに、高品質の指標としてユーザーによって広く認識された所望の触知性フィードバックが、ばね手段により偏倚された変位可能部材によってもたらされている。
【００４３】
この発明によるキーボードでは、ばね手段によってもたらされた偏倚力は、上記柔軟性表示部の弾性を補償するように調節することができるので、ユーザーが受けたそれぞれのキーにもたらされた偏倚力は、従来型の高品質キーボードからユーザーに周知である値に実質的に等しい。                                                                
【００４４】
図３において、下側の列は、コンピュータキーボードとして使用されているとともに、従来型のデンマーク語型コンピュータキーボードに対応するような仕方でキー標識が表示されている、この発明によるキーボードを示している。イメージ３２は、「Ｓｈｉｆｔ」キー３４が押し下げられないときの、スカンジナビア語の母音字である
2010511239.tif 000003
が含まれる、表示された小文字標識を示している。イメージ３６は、「Ｓｈｉｆｔ」キー３４が押し下げられたときの、表示された大文字標識を示しており、また同様に、イメージ３８は、「ＡｌｔＧｒ」キー４０が押し下げられたときの、表示された標識を示している。
【００４５】
この発明によるキーボードによれば、選択可能な３つの記号があるいくつかのキーを備えているためにユーザーが問題のキーにおける記号の１つを選択する際に他のキーを作動させることを記憶していなければならない従来型のキーボードとは異なり、現在表示された標識がそれぞれのキーの現在の機能を明確かつ明瞭な仕方で表示しているので、ユーザーの操作が簡略化される、ということに留意すべきである。
【００４６】
図３の上側の列は、コンピュータキーボードとして使用されているとともに、従来型のフランス語型コンピュータキーボードに対応するような仕方でキー標識が表示されている、この発明によるキーボードを示している。イメージ４２は、「Ｓｈｉｆｔ」キー３４が押し下げられないときの、表示された小文字標識を示している。イメージ４４は、「Ｓｈｉｆｔ」キー３４が押し下げられたときの、表示された大文字標識を示しており、また同様に、イメージ４６は、「ＡｌｔＧｒ」キー４０が押し下げられたときの、表示された標識を示している。
【００４７】
１つのキーボードをすべての言語のために製造することができるということは、この発明の重要な利点である。また、ある外国で働くためにその国を訪れる人は、キーボードのレイアウトを彼あるいは彼女の普段のレイアウトに簡単に変更することができる。
【００４８】
この発明によるキーボードの汎用性をさらに表すために、図４には、日本において使用されるようなさまざまな典型的キーボードレイアウトを表示するためのキーボードが示されている。
【００４９】
図５には、標準的なドボラク式レイアウト５０を表示するためのキーボードが示されている。ドボラク式レイアウト５０によれば、（英語で）最もよく使用される５つの母音字および子音字がユーザーの指の始動位置を形成している列に配置されているので、簡単で迅速なキー操作が促進される。他の言語における対応レイアウトは、この発明によるキーボードによって簡単にもたらされる。中間のレイアウトは右手用ドボラク式レイアウトであり、下側のレイアウトは右手用ドボラク式レイアウトである。
【図１】
2010511239.tif 000004
【図２】
2010511239.tif 000005
【図３】
2010511239.tif 000006
【図４】
2010511239.tif 000007
【図５】
2010511239.tif 000008
【手続補正書】
【提出日】平成20年9月29日(2008.9.29)
【手続補正１】
【補正対象書類名】特許請求の範囲
【補正対象項目名】全文
【補正方法】変更
【補正の内容】
【特許請求の範囲】
【請求項１】
従来型のコンピュータキーボードアレイに構成され、かつ、キーの個々の標識を表示するための柔軟性表示部によって被覆されたキースイッチがある複数のキーを備えたキーボードであって、前記キースイッチの上面に適合させるために前記柔軟性表示部が非平面形状に予備成形されており、それによって、前記柔軟性表示部の区域を押し下げることでそれぞれのキースイッチが作動されてそのキースイッチのキー標識が表示されるとともに、複数のキーのそれぞれのキースイッチは、接点素子のある実質的に非柔軟性の部材を有し、この非柔軟性の部材は、前記接点素子とキーボードの電気回路との間の接触が起きるまで対応するキーが押し下げられたときに、変位されるように構成されており、これらのキーの直線状変位は、１ｍｍ〜５ｍｍの範囲にあるキーボード。
【請求項２】
前記複数のキーのそれぞれは、透明な上面が備わったキーキャップを有し、前記柔軟性表示部は、それぞれのキーキャップの透明な上面を通して見ることのできるキーの個々の標識を表示するために、前記キーキャップの下に取り付けられている請求項１に記載のキーボード。
【請求項３】
変位可能部材がばね手段によって偏倚され、ばね手段によってもたらされた偏倚力が前記柔軟性表示部の弾性を補償するように調節され、それによって、ユーザーが受けたそれぞれのキーにもたらされた偏倚力は、従来型の高品質キーボードからユーザーに周知である値に実質的に等しい請求項１または２に記載のキーボード。
【請求項４】
前記表示部は、ＯＬＥＤ表示部である請求項１〜３のいずれか１つに記載のキーボード。
【請求項５】
前記表示部は、電気泳動式表示部である請求項１〜３のいずれか１つに記載のキーボード。
【請求項６】
前記表示部は、電気湿潤式表示部である請求項１〜３のいずれか１つに記載のキーボード。
【請求項７】
前記表示部は、ポリマーＬＥＤ表示部である請求項１〜３のいずれか１つに記載のキーボード。
【請求項８】
請求項１〜７のいずれか１つに記載のキーボードへ接続されているとともに、このキーボードからの入力を受けるように、かつ、ユーザーの入力に応じてキー標識を表示するための前記表示部を制御するように適合されているプロセッサーを備えてなる装置。
【請求項９】
前記プロセッサーは、選択された国における文書に使用される小文字、数字および他のキャラクターの従来型のレイアウトを表示するために、前記柔軟性表示部を制御するようにさらに適合されている請求項８に記載の装置。
【請求項１０】
前記レイアウトは、ドボラク式レイアウトである請求項９に記載の装置。
【請求項１１】
前記レイアウトは、ヨーロッパ言語、日本語、アラビア語、ロシア語、中国語の字母を構成する群から選択された字母のレイアウトである請求項８〜１０のいずれか１つに記載の装置。
【請求項１２】
前記プロセッサーは、それぞれのキーが作動されると、ソフトウェアプログラムによって実行される機能キーの機能を表示する記号を表示するために前記表示部を制御するように、さらに適合されている請求項８〜１１のいずれか１つに記載の装置。
【請求項１３】
前記ソフトウェアプログラムは、ワードプロセッサー、ゲーム、表計算ソフト、データベース、ＣＡＤ／ＣＡＭプログラムから構成されている群から選択される請求項１２に記載の装置。
【請求項１４】
前記プロセッサーは、あるソフトウェアプログラムを通してユーザーを案内し、それによって、そのプログラムのためのマニュアルを照会する必要性を省くようにして、あるキー標識を連続的に表示するために前記表示部を制御するように、さらに適合されている請求項１２または１３に記載の装置。
【請求項１５】
前記プロセッサーは、ユーザーが前記キーボードのレイアウトを画定することができるようにするために編集プログラムを実行するように、適合されている請求項８〜１４のいずれか１つに記載の装置。
【国際調査報告】
2010511239.tif 000009
2010511239.tif 000010
2010511239.tif 000011